(57)【要約】【課題】  シリンジ装着部内でシリンジが遊動することを防止し、薬液の注入動作の信頼性を向上する。【解決手段】  薬液注入装置１のシリンジ装着部３に装着されるシリンダ部材１１を有し、このシリンダ部材１１内に薬液が充填され、薬液を患者に注入する動作を連続して繰り返し行うためのシリンジ２であって、シリンダ部材１１の周面には、シリンジ装着部３に装着された装着位置を規制する位置規制片１３が設けられる。【選択図】  図３
2005110906.tif 000002
【特許請求の範囲】
【請求項１】
薬液注入装置のシリンジ装着部に装着されるシリンダ部材を有し、前記シリンダ部材内に薬液が充填され、該薬液を患者に注入する動作を連続して繰り返し行うためのシリンジであって、
前記シリンダ部材の周面には、前記シリンジ装着部に装着された装着位置を規制する規制部が設けられていることを特徴とするシリンジ。
【請求項２】
前記規制部は、主面が、前記シリンダ部材内を移動するピストン部材の移動方向と平行な平板状に形成されている請求項１に記載のシリンジ。
【請求項３】
前記規制部は、前記ピストン部材の移動方向に平行な前記シリンダ部材の長手方向に亘って形成されている請求項１または２に記載のシリンジ。
【請求項４】
シリンダ部材を有するシリンジが装着されるシリンジ装着部を備え、前記シリンジ装着部に装着された前記シリンダ部材内に薬液を充填し、該薬液を患者に注入する動作を連続して繰り返し行うための薬液注入装置であって、
前記シリンダ部材の周面には、前記シリンジ装着部に装着された装着位置を規制する規制部が設けられ、
前記シリンジ装着部には、前記規制部が係合される係合部が設けられていることを特徴とする薬液注入装置。
【請求項５】
前記シリンジの前記規制部に係合される係合位置と、前記規制部との係合状態が解除される解除位置とに移動可能に設けられた係合部材を備える請求項４に記載の薬液注入装置。
【請求項６】
前記シリンジの前記シリンダ部材内を移動するピストン部材をパルスで往復駆動させる駆動手段を備える請求項４または５に記載の薬液注入装置。
【請求項７】
前記シリンジによる薬液の注入回数に基づいた総注入量に対応する表示を示す表示手段を備える請求項４ないし６のいずれか１項に記載の薬液注入装置。
【請求項８】
前記表示手段は、前記シリンジによる前記総注入量を示すための複数の表示ランプと、前記総注入量に対応する前記表示ランプを点灯させる制御手段とを有する請求項７に記載の薬液注入装置。
【請求項９】
薬液が充填され、該薬液を患者に注入する動作を連続して繰り返し行うためのシリンジを、薬液注入装置のシリンジ装着部に装着するためのシリンジ装着方法であって、
前記シリンジのシリンダ部材の周面に設けられた規制部を、前記シリンジ装着部に係合させることによって、前記シリンジ装着部に対する前記シリンジの装着位置を規制することを特徴とするシリンジ装着方法。
【請求項１０】
前記シリンジが前記シリンジ装着部に装着された際に、前記規制部に係合部材を移動させて係合させる請求項９に記載のシリンジ装着方法。
【発明の詳細な説明】
【技術分野】
【０００１】
本発明は、患者に薬液を注入するためのシリンジ、薬液注入装置およびシリンジ装着方法に関する。
【背景技術】
【０００２】
従来、薬液注入装置としては、例えば、駆動モータやスライダ機構を有しており、シリンジが着脱自在に装着されるものが開示されている（例えば特許文献１，２参照。）。
【０００３】
そして、例えば血栓症の患者の血栓を徐々に溶解させて除去する場合等に、一定量の薬液を繰り返し注入するために、パルスによる注入法（以下、パルスインジェクション法と称する。）が利用されている。
【０００４】
この種のパルスインジェクション法が用いられる従来の薬液注入装置は、円筒状のシリンジと、このシリンジが装着されるシリンジ装着部と、シリンジのピストン部材を往復動作させるための駆動機構とを備えている。
【０００５】
上述したように構成された従来の薬液注入装置では、シリンジ装着部に装着されたシリンジのピストン部材を、駆動機構によって所定のパルスで往復駆動させることによって、患者に一定量の薬液を繰り返し注入する。
【特許文献１】特開２００２−１１０９６号公報（図１１−図１４）
【特許文献２】特開２００２−１０２３４３号公報（図８）
【発明の開示】
【発明が解決しようとする課題】
【０００６】
ところで、従来のシリンジは、外径の寸法公差等によるバラツキがある。このため、従来の薬液注入装置では、シリンジ装着部とシリンジとの各寸法公差のバラツキによって、シリンジ装着部内に装着されたシリンジが遊動してしまう問題点があった。
【０００７】
特に、上述のパルスインジェクション法を用いた従来の薬液注入装置は、注入動作中に、シリンジ装着部に装着されたシリンジがシリンジ装着部内で振動し、シリンジ装着部内の装着位置が変化してしまう問題があった。したがって、従来のシリンジは、注入動作が不安定になり、薬液の注入量が変動してしまうおそれがある。
【０００８】
また、パルスインジェクション法を用いて薬液が注入されている患者は、薬液の注入量を把握することができなかったという不都合がある。
【０００９】
そこで、本発明は、シリンジ装着部内でシリンジが遊動することを防止し、薬液の注入動作の信頼性を向上することができるシリンジ、および薬液注入装置、シリンジ装着方法を提供することを目的とする。
【課題を解決するための手段】
【００１０】
上述した目的を達成するため、本発明に係るシリンジは、薬液注入装置のシリンジ装着部に装着されるシリンダ部材を有し、このシリンダ部材内に薬液が充填され、該薬液を患者に注入する動作を連続して繰り返し行うためのシリンジである。そして、シリンダ部材の周面には、シリンジ装着部に装着された装着位置を規制する規制部が設けられる。
【００１１】
以上のように構成した本発明に係るシリンジでは、薬液の充填動作、注入動作、充填動作、注入動作のように、充填および注入を連続して繰り返し行われる。そして、本発明のシリンジは、シリンジ部材の周面に設けられた規制部によって、シリンジ装着部内のシリンジの装着位置が規制されるため、シリンジがシリンジ装着部内で遊動することが防止されて、薬液の注入動作の信頼性が向上される。
【００１２】
また、本発明に係るシリンジが有する規制部は、主面が、シリンダ部材内を移動するピストン部材の移動方向と平行な平板状に形成されることが好ましい。これによって、シリンジ装着部内に装着されたシリンジが、ピストン部材の移動方向の軸回りに回動することが防止される。
【００１３】
また、本発明に係るシリンジが有する規制部は、ピストン部材の移動方向に平行なシリンダ部材の長手方向に亘って形成されることが好ましい。これによって、シリンダ部材の長手方向全体に亘って確実に係合されるため、更に良好な係合状態が確保される。
【００１４】
また、本発明に係る薬液注入装置は、シリンダ部材を有するシリンジが装着されるシリンジ装着部を備え、このシリンジ装着部に装着されたシリンダ部材内に薬液を充填し、該薬液を患者に注入する動作を連続して繰り返し行うための薬液注入装置である。シリンダ部材の周面には、シリンジ装着部に装着された装着位置を規制する規制部が設けられる。そして、シリンジ装着部には、規制部が係合される係合部が設けられる。
【００１５】
以上のように構成した本発明に係る薬液注入装置によれば、シリンジ装着部にシリンジを装着することで、係合部にシリンダ部材の規制部が係合されるため、シリンジによって薬液を注入する際に、シリンジ装着部内に装着されたシリンジが遊動されることが防止され、薬液の注入動作の信頼性が向上される。
【００１６】
また、本発明に係る薬液注入装置は、シリンジのシリンダ部材内を移動するピストン部材をパルスで往復駆動させる駆動手段を備えてもよい。これによって、パルスでピストン部材が往復駆動される際に、シリンジ装着部内でシリンジが振動することが防止され、注入動作の安定性が確保され、薬液の注入量が変動することが抑えられる。
【００１７】
また、本発明に係る他の薬液注入装置は、シリンジによる薬液の注入回数に基づいた総注入量に対応する表示を示す表示手段を備える。これによって、患者は、総注入量を容易に確認することが可能になる。
【００１８】
また、本発明に係る薬液注入装置が備える表示手段は、シリンジによる総注入量を示すための複数の表示ランプと、総注入量に対応する表示ランプを点灯させる制御手段とを有してもよい。これによって、表示ランプの点灯状態を確認することで、総注入量を把握することが可能になる。
【００１９】
また、本発明に係るシリンジ装着方法は、薬液が充填され、該薬液を患者に注入する動作を連続して繰り返し行うためのシリンジを、薬液注入装置のシリンジ装着部に装着するためのシリンジ装着方法であって、シリンジのシリンダ部材の周面に設けられた規制部を、シリンジ装着部に係合させることによって、シリンジ装着部に対するシリンジの装着位置を規制する。
【発明の効果】
【００２０】
上述したように本発明によれば、シリンジ装着部に装着されるシリンダ部材の周面に、シリンジ装着部に装着された装着位置を規制する規制部が設けられることによって、シリンジ装着部内のシリンジが遊動することを防止し、シリンジによる注入動作の信頼性を向上することができる。
【発明を実施するための最良の形態】
【００２１】
以下、本発明の具体的な実施形態について、図面を参照して説明する。
【００２２】
本実施形態の薬液注入装置は、シリンジ内に薬液を充填し、充填された薬液を患者に注入する一連の充填・注入動作を連続して繰り返し行うために用いられる。
【００２３】
図１に示すように、薬液注入装置１は、患者に薬液を注入するためのシリンジ２が着脱可能に装着されるシリンジ装着部３と、シリンジ２によって注入動作させるための駆動部４と、この駆動部４を操作するための操作部５とを備えている。
【００２４】
図３に示すように、薬液注入装置１に用いられるシリンジ２は、シリンダ部材１１と、このシリンダ部材１１内に摺動自在に設けられたピストン部材１２とを有している。シリンダ部材１１の外周面上には、シリンジ装着部３に装着された装着位置を規制する位置規制片１３が一体に形成されている。
【００２５】
位置規制片１３は、略四角形をなす平板状に形成されており、主面が、ピストン部材１２の摺動方向と平行に形成されている。また、位置規制片１３は、ピストン部材１２の摺動方向である長手方向に亘って形成されている。さらに、位置規制片１３は、ピストン部材１２の摺動方向に直交する短辺の中心が、シリンダ部材１１の外周面に接するように設けられており、シリンダ部材１１の径方向の両側にそれぞれ突出されている。
【００２６】
また、シリンダ部材１１の先端部には、薬液を注入するための導管１５が一体に形成されている。この導管１５の先端部には、流路切り換え弁１７を取り付けるための固定部材１６が設けられている。
【００２７】
ピストン部材１２の一端部には、図示しないが、ピストンヘッドが設けられている。このピストンヘッドは、例えばゴム材等の弾性材料によって形成された２つのヘッド部材を有しており、これらヘッド部材が所定の間隔をあけて配設されている。このように、ピストン部材１２は、２つのヘッド部材を有することで、ピストン部材１２の往復動作時にシリンダ部材１１内に外部から空気が進入することが防止されている。
【００２８】
シリンジ２には、図２および図３に示すように、シリンダ部材１１の導管１５の先端部に、固定部材１６を介して流路切り換え弁１７が固定されている。この流路切り換え弁１７には、薬液が収容された薬液タンク（不図示）に供給用チューブ１８を介して連結されるとともに、患者に薬液を注入するための注射針（不図示）に注入用チューブ１９を介して連結されている。
【００２９】
薬液注入装置１が備えるシリンジ装着部３は、シリンジ２のシリンダ部材１１が載置される載置凹部２１と、位置規制片１３が係合される係合凹部２２と、位置規制片１３の一側に係合される係合部材２３とを有している。
【００３０】
載置凹部２１は、ピストン部材１２の摺動方向の両端がそれぞれ切り欠かれている。載置凹部２１に載置されたシリンジ２は、載置凹部２１の一端側から導管１５が外部に突出され、載置凹部２１の他端側からピストン部材１２が突出されて駆動部４に連結されている。
【００３１】
係合凹部２２は、位置規制片１３の外形寸法よりやや大きく形成されており、位置規制片１３の短辺方向の両端側にそれぞれ設けられている。係合凹部２２は、ピストン部材１２の摺動方向と平行にされた位置規制片１３の長辺の一側端が突き当てられることで、シリンジ装着部３に対して位置決めされるとともに、ピストン部材１２の摺動方向に対して遊動することが防止されている。
【００３２】
また、係合凹部２２には、位置規制片１３の長辺方向に亘って係合されるため、シリンダ部材１１の長手方向全体に亘って良好な係合状態が確保されている。さらに、係合凹部２２には、位置規制片１３の短辺方向の両端がそれぞれ係合されているため、ピストン部材１２の摺動方向の軸回りにシリンダ部材１１が回動することが確実に防止されている。
【００３３】
係合部材２３は、位置規制片１３の長辺の一側端の略中央部に対応する位置に設けられている。係合部材２３は、一端に、位置規制片１３の一側端に係合される係合爪２５が形成されており、この係合爪２５を係合凹部２２に対して近接離間させる方向である図２中矢印ａ1，ａ2方向にスライド可能に設けられている。そして、係合部材２３は、コイルバネ（不図示）によって、係合爪２５が位置規制片１３に係合するように付勢されている。
【００３４】
また、係合爪２５には、位置規制片１３を係合凹部２２内に案内するための傾斜面２６が形成されている。係合部材２３は、係合爪２５の傾斜面２６に位置規制片１３が当接されることによって、係合爪２５が矢印ａ2方向に容易に移動されて係合凹部２２から離間される。
【００３５】
駆動部４は、ピストン部材１２の一端を保持するためのピストン保持部材３１と、このピストン保持部材３１を往復動作させる駆動モータ（不図示）とを有している。駆動部４は、駆動モータが所定のパルスで駆動されることによって、ピストン保持部材３１を介してピストン部材１２を連続して繰り返し往復動作させる。
【００３６】
また、薬液注入装置１は、図示しないが、シリンジ２による注入状態を表示する表示装置に電気的に接続されている。この表示装置は、例えば水色、緑色、橙色の三色の表示ランプ（不図示）を有しており、駆動部４に電気的に接続された制御部（不図示）によって、各表示ランプの点滅状態を制御する。なお、表示ランプとしては、例えば発光ダイオード（ＬＥＤ）が用いられている。制御部は、ピストン部材１２の往復動作による注入回数に基づいて総注入量を算出し、総注入量に対応する表示ランプを順次点滅させる。
【００３７】
以上のように構成された薬液注入装置１について、シリンジ２がシリンジ装着部３内に装着される動作、および患者に薬液を注入する動作をそれぞれ説明する。
【００３８】
まず、シリンジ２は、シリンジ装着部３の載置凹部２１内に載置される際に、位置規制片１３の一側が係合部材２３の傾斜面２６に当接され、位置規制片１３が傾斜面２６に沿って摺動されることによって、係合爪２５が矢印ａ2方向に移動されて係合凹部２２から離間される。一旦、係合爪２５が矢印ａ2方向に移動されて係合凹部２２から離間された後、位置規制片１３の一側には、コイルバネの付勢力によって係合爪２５が矢印ａ1方向に移動されて係合される。したがって、シリンジ２は、シリンジ装着部３内に装着されることで、位置規制片１３に係合部材２３が係合されて、シリンジ装着部３内で遊動することが規制される。
【００３９】
一方、シリンジ装着部３内に装着されたシリンジ２を取り外す際、係合部材２３をコイルバネの付勢に抗して矢印ａ2方向にスライド操作することで、位置規制片１３と係合爪２５との係合状態が容易に解除される。なお、係合部材２３は、図示しないが、例えば移動機構を介して、矢印ａ2方向に移動されるように構成されてもよい。
【００４０】
そして、シリンジ装着部３内にシリンジ２が装着された薬液注入装置１は、駆動部４よってピストン部材１２が摺動されるのに伴って、薬液タンクから供給用チューブ１８を介してシリンジ２内に薬液が充填される。続いて、薬液注入装置１は、駆動部４よってピストン部材１２が摺動されるのに伴って、シリンジ２内から注入用チューブ１９を介して患者に薬液が充填される。薬液注入装置１は、以上の充填動作と注入動作とからなる一連の動作を連続的に繰り返して、患者に所定量の薬液を注入する。
【００４１】
最後に、上述した表示装置の各表示ランプについて、点滅動作の一例を、図面を参照して説明する。
【００４２】
薬液注入装置１を用いて、例えば１００ｍＬの薬液を注入する場合、図４に示すように、ステップ１０１から注入動作が開始し、制御部によって注入開始と同時に水色ＬＥＤが点滅される（ステップ１０２）。薬液の総注入量が２５ｍＬになったとき、ステップ１０３に示すように、注入動作が一時停止された場合には、図５中のステップ１１１に移行される。注入動作を一時停止されなかった場合には、総注入量が５０ｍＬ以上になったときに、制御部によって緑色ＬＥＤが点滅される（ステップ１０４）。
【００４３】
薬液の総注入量が７５ｍＬになったとき、ステップ１０５に示すように、注入動作が一時停止された場合には、図６中のステップ１３１に移行される。注入動作が一時停止されなかった場合には、総注入量が９０ｍＬ以上になったときに、制御部によって橙色ＬＥＤが点滅される（ステップ１０６）。
【００４４】
薬液の総注入量が９５ｍＬになったとき、ステップ１０７に示すように、注入動作が一時停止された場合には、図７中のステップ１５１に移行する。注入動作が一時停止されなかった場合には、総注入量が１００ｍＬになったときに、制御部によって駆動部４による注入動作が停止され、総注入量の算出処理がリセットされて（ステップ１０８）、注入動作が終了する（ステップ１０９）。
【００４５】
上述したステップ１０３で注入動作が一時停止された場合、図５に示すように、制御部は、総注入量の算出処理がリセットされた後に、注入動作が開始された否かを判断する（ステップ１１１）。
【００４６】
ステップ１１１で総注入量の算出処理がリセットされた場合、制御部は、総注入量を０ｍＬとして、水色ＬＥＤを点滅させる（ステップ１１２）。以降、総注入量が５０ｍＬ以上になったときに緑色ＬＥＤが点滅され（ステップ１１３）、総注入量が９０ｍＬ以上になったときに橙色ＬＥＤが点滅され（ステップ１１４）、総注入量が１００ｍＬになったときにリセットされて（ステップ１１５）、注入動作が終了する（ステップ１１６）。
【００４７】
一方、ステップ１１１で総注入量の算出処理がリセットされなかった場合、制御部は、総注入量を継続して２５ｍＬとして、水色ＬＥＤを点滅させる（ステップ１２２）。以降、総注入量が５０ｍＬ以上になったときに緑色ＬＥＤが点滅され（ステップ１２３）、総注入量が９０ｍＬ以上になったときに橙色ＬＥＤが点滅され（ステップ１２４）、総注入量が１００ｍＬになったときにリセットされて（ステップ１２５）、注入動作が終了する（ステップ１２６）。
【００４８】
同様に、上述したステップ１０５で注入動作が一時停止された場合、図６に示すように、制御部は、総注入量の算出処理がリセットされた後に、注入動作が開始された否かを判断する（ステップ１３１）。
【００４９】
ステップ１３１で総注入量の算出処理がリセットされた場合、制御部は、総注入量を０ｍＬとして、水色ＬＥＤを点滅させる（ステップ１３２）。以降、総注入量が５０ｍＬ以上になったときに緑色ＬＥＤが点滅され（ステップ１３３）、総注入量が９０ｍＬ以上になったときに橙色ＬＥＤが点滅され（ステップ１３４）、総注入量が１００ｍＬになったときにリセットされて（ステップ１３５）、注入動作が終了する（ステップ１３６）。
【００５０】
一方、ステップ１３１で総注入量の算出処理がリセットされなかった場合、制御部は、総注入量を継続して７５ｍＬとして、緑色ＬＥＤが点滅され（ステップ１４２）、総注入量が９０ｍＬ以上になったときに橙色ＬＥＤが点滅され（ステップ１４４）、総注入量が１００ｍＬになったときにリセットされて（ステップ１４５）、注入動作が終了する（ステップ１４６）。
【００５１】
同様に、上述したステップ１０７で注入動作が一時停止された場合、図７に示すように、制御部は、総注入量の算出処理がリセットされた後に、注入動作が開始された否かを判断する（ステップ１５１）。
【００５２】
ステップ１３１で総注入量の算出処理がリセットされた場合、制御部は、総注入量を０ｍＬとして、水色ＬＥＤを点滅させる（ステップ１５２）。以降、総注入量が５０ｍＬ以上になったときに緑色ＬＥＤが点滅され（ステップ１５３）、総注入量が９０ｍＬ以上になったときに橙色ＬＥＤが点滅され（ステップ１５４）、総注入量が１００ｍＬになったときにリセットされて（ステップ１５５）、注入動作が終了する（ステップ１５６）。
【００５３】
一方、ステップ１５１で総注入量の算出処理がリセットされなかった場合、制御部は、総注入量を継続して９５ｍＬとして、橙色ＬＥＤが点滅され（ステップ１６２）、総注入量が１００ｍＬになったときにリセットされて（ステップ１６５）、注入動作が終了する（ステップ１６６）。
【００５４】
したがって、表示装置によれば、注入動作を一時停止した場合であっても、各表示ランプの点滅状態によって、総注入量を確認することが可能とされている。
【００５５】
上述したように、シリンジ２および薬液注入装置１によれば、シリンジ２に設けられた位置規制片１３が、シリンジ装着部３の係合凹部２２に係合されることによって、シリンジ装着部３内に装着されたシリンジ２が、ピストン部材１２の摺動方向に遊動することと、ピストン部材１２の摺動方向の軸回りに回動することを確実に防止することができる。このため、シリンジ２および薬液注入装置１によれば、薬液の注入量が変動することが確実に防止され、注入動作の信頼性を向上することができる。
【図面の簡単な説明】
【００５６】
【図１】本発明に係る薬液注入装置を示す斜視図である。
【図２】前記薬液注入装置の要部を示す斜視図である。
【図３】前記薬液注入装置の要部を示す分解斜視図である。
【図４】表示部の各表示ランプの点滅状態を説明するためのフローチャートである。
【図５】総注入量が２５ｍＬで一時停止された後の各表示ランプの点滅状態を説明するためのフローチャートである。
【図６】総注入量が７５ｍＬで一時停止された後の各表示ランプの点滅状態を説明するためのフローチャートである。
【図７】総注入量が９５ｍＬで一時停止された後の各表示ランプの点滅状態を説明するためのフローチャートである。
【符号の説明】
【００５７】
１  薬液注入装置
２  シリンジ
３  シリンジ装着部
４  駆動部
５  操作部
１１  シリンダ部材
１２  ピストン部材
１３  位置規制片
１７  流路切り換え弁
１８  供給用チューブ
１９  注入用チューブ
２１  載置凹部
２２  係合凹部
２３  係合部材
２５  係合爪
２６  傾斜面
３１  ピストン保持部材
【図１】
2005110906.tif 000003
【図２】
2005110906.tif 000004
【図３】
2005110906.tif 000005
【図４】
2005110906.tif 000006
【図５】
2005110906.tif 000007
【図６】
2005110906.tif 000008
【図７】
2005110906.tif 000009